(57)【要約】【課題】本体と開閉蓋とを有するかばんにおいて、開閉蓋を簡単に開閉できるようにするとともに、開閉蓋を閉じたときには、確実に閉状態に維持できるようにする。【解決手段】本体と開閉蓋とを有するかばんである。本体と開閉蓋とのいずれか一方は、操作部２９と、操作部２９の動きに連動して出退する複数の出退ピン３７、５１，５１とを有する。本体と開閉蓋との他方は、出退ピン３７、５１、５１に対応して設けられた複数の孔部５８、５９、５９を有する。孔部５８、５９、５９は、開閉蓋が閉じられたときに出退ピン３７、５１、５１が入り込み可能な場所に位置することが可能であり出退ピン３７、５１、５１の入り込みによりロックされるものであるとともに、出退ピン３７、５１、５１の抜け出しによりロック解除されるものである。【選択図】図６
2013198596.tif 000002
【特許請求の範囲】
【請求項１】
本体と開閉蓋とを有し、
本体と開閉蓋とのいずれか一方は、操作部と、操作部の動きに連動して出退する複数の出退ピンとを有し、
本体と開閉蓋との他方は、出退ピンに対応して設けられた複数の孔部を有し、
孔部は、開閉蓋が閉じられたときに出退ピンが入り込み可能な場所に位置することが可能であり出退ピンの入り込みによりロックされるものであるとともに、出退ピンの抜け出しによりロック解除されるものであることを特徴とするかばん。
【請求項２】
本体側フレームと蓋側フレームとを有し、
蓋側フレームは本体側フレームに揺動可能に連結されており、
本体側フレームは本体に取り付けられており、
開閉蓋は蓋側フレームに取り付けられており、
出退ピンは本体側フレームと蓋側フレームとのいずれか一方に設けられており、
孔部は本体側フレームと蓋側フレームとの他方に形成されている、
ことを特徴とする請求項１記載のかばん。
【請求項３】
出退ピンは本体フレームから飛び出す方向に弾性力が付与されており、
操作部は、出退ピンに対して、前記弾性力に抗してフレームに入り込み可能な操作力を付与可能であることを特徴とする請求項２記載のかばん。
【請求項４】
操作部は押しボタンによって構成されており、出退ピンは、押しボタンが押し込まれたときに、この押しボタンから、弾性力に抗してフレームに入り込み可能な操作力を付与されるものであることを特徴とする請求項３記載のかばん。
【発明の詳細な説明】
【技術分野】
【０００１】
本発明はかばんに関する。
【背景技術】
【０００２】
スーツケースに代表される旅行用かばんとして、本体と開閉蓋とを有し、開閉蓋がヒンジなどによって本体に開閉可能に取り付けられているものが知られている。そして開閉蓋を閉状態に維持するための機構として、たとえば特許文献１には、本体の開口縁と開閉蓋の開口縁とに沿ってファスナーを設けたものが記載されている。
【先行技術文献】
【特許文献】
【０００３】
【特許文献１】特開２０１１−２４７２０号公報
【発明の概要】
【発明が解決しようとする課題】
【０００４】
ところが、特許文献１に記載のファスナーを用いたかばんでは、開閉蓋を開閉するときに、ファスナーのスライダーを本体と開閉蓋との開口縁に沿った長距離にわたって走行させないと、開閉蓋を開いたり、開閉蓋を閉状態に維持したりすることができない。たとえば、スーツケースなどのようにかばんが直方体形状を呈している場合には、その開口縁は長方形状になるが、少なくともその三辺にわたってファスナーのスライダーを走行させないと、閉状態の開閉蓋を開くことができない。反対に、開状態の開閉蓋を閉じたうえで、同様に少なくともその三辺にわたってファスナーのスライダーを走行させないと、そのファスナーを確実な閉状態とすることができない。
【０００５】
すなわち、特許文献１に記載のかばんでは、その開閉蓋を開閉するときに大きな手間を要するという課題がある。
そこで本発明は、このような課題を解決して、本体と開閉蓋とを有するかばんにおいて、開閉蓋を簡単に開閉できるようにするとともに、開閉蓋を閉じたときには、確実に閉状態に維持できるようにすることを目的とする。
【課題を解決するための手段】
【０００６】
この目的を達成するため本発明のかばんは、
本体と開閉蓋とを有し、
本体と開閉蓋とのいずれか一方は、操作部と、操作部の動きに連動して出退する複数の出退ピンとを有し、
本体と開閉蓋との他方は、出退ピンに対応して設けられた複数の孔部を有し、
孔部は、開閉蓋が閉じられたときに出退ピンが入り込み可能な場所に位置することが可能であり出退ピンの入り込みによりロックされるものであるとともに、出退ピンの抜け出しによりロック解除されるものであることを特徴とする。
【０００７】
本発明のかばんによれば、
本体側フレームと蓋側フレームとを有し、
蓋側フレームは本体側フレームに揺動可能に連結されており、
本体側フレームは本体に取り付けられており、
開閉蓋は蓋側フレームに取り付けられており、
出退ピンは本体側フレームと蓋側フレームとのいずれか一方に設けられており、
孔部は本体側フレームと蓋側フレームとの他方に形成されていることが好適である。
【発明の効果】
【０００８】
本発明のかばんによれば、操作部を操作することによって、操作部の動きに連動して複数の出退ピンを出退動作させることができ、それにより出退ピンを孔部に入り込ませたり、孔部から抜け出させたりすることができて、本体に対して開閉蓋をロックさせたり、ロック解除させたりすることができる。すなわち、操作部を介して出退ピンを出退動作させるだけで、容易に開閉蓋の開閉と閉状態でのロックとを行うことができる。しかも、出退ピンは操作部に連動した複数が設けられているため、開閉蓋が閉状態にあるときには複数の位置でロックを行うことができるため、開閉蓋を確実に閉状態に維持することができる。
【図面の簡単な説明】
【０００９】
【図１】本発明の実施の形態のかばんの立体図である。
【図２】図１に示されたかばんの開閉蓋を実線で表した立体図である。
【図３】同かばんにおけるフレームの立体図である。
【図４】同かばんの本体と開閉蓋とを正投象図法で表した図である。
【図５】同かばんの開閉蓋が閉じているときの要部の断面図である。
【図６】図５における要部を拡大して示す図である。
【図７】同かばんの開閉蓋のロック状態を解除したときの要部の断面図である。
【図８】図７における要部を拡大して示す図である。
【図９】開閉蓋を閉じるときの動作を説明するための要部の立体図である。
【図１０】出退ピンが孔部に入り込んだ状態を示す断面図である。
【発明を実施するための形態】
【００１０】
図１、２、４に示すように、本発明のかばんは、箱形の本体１１を有する。本体１１には開口１２が形成されており、この開口を開閉するための開閉蓋１３が設けられている。本体１１と開閉蓋１３とは、軽金属や繊維強化樹脂などによって形成されている。
【００１１】
図１〜図４に示すように、本発明のかばんは、揺動式のフレーム１４を有する。このフレーム１４は、本体側フレーム１５と蓋側フレーム１６とがヒンジ１７によって連結された構造である。図３に示すように、ヒンジ１７の作用によって、蓋側フレーム１６は本体側フレーム１５に対して開閉するように揺動自在に構成されている。そして、本体側フレーム１５が本体１１に取り付けられ、蓋側フレーム１６に開閉蓋１３が取り付けられることで、開閉蓋１３が本体１１に対して開閉自在なように構成されている。フレーム１４も、軽金属や樹脂などによって形成されている。
【００１２】
本体側フレーム１５はロ字形に形成され、本体１１の内部に配置された内部構造部１８と、本体１１の外部において本体１１から突出するように配置された取手部１９とを有している。
【００１３】
内部構造部１８は、横断面Ｕ字形のチャンネル材や横断面Ｌ字形のアングル材によって構成されている。そして内部構造部１８は、本体１１の側壁２０に沿って配置される一対の側部材２１と、これらの側部材２１、２１の端部どうしを連結する基端部材２２とを有する。図示の例では、側部材２１はチャンネル材によって構成され、基端部材２２はアングル材によって構成されている。
【００１４】
取手部１９は、門形に形成された中空部材にて形成されており、この中空部材は樹脂によって形成されていることが好適である。また取手部１９は、本発明のかばんを持ち運ぶときの取手として機能する部材であり、したがって手によって握りやすい形状となるように形成されている。
【００１５】
蓋側フレーム１６は、同様にロ字形に形成され、基端部材２３と、先端部材２４と、これら基端部材２３と先端部材２４とを連結する一対の連結部材２５、２５とを有している。基端部材２３と先端部材２４とはアングル材によって構成され、連結部材２５は、本体側フレーム１５の側部材２１に被せることができるチャンネル材によって構成されている。
【００１６】
本体側フレーム１５の基端部材２２と蓋側フレーム１６の基端部材２３とがヒンジ１７によって互いに連結されており、これによって前述のように蓋側フレーム１６が本体側フレーム１５に対して揺動可能とされている。
【００１７】
本体側フレーム１５を本体１１に取り付けるための手段と、蓋側フレーム１６を開閉蓋１３に取り付けるための手段は、任意である。すなわち、接着、締結などの適宜の手段を採用することができる。
【００１８】
開閉蓋１３を閉じた状態でロックするための機構およびそのロックを解除するための機構を説明する。図５および図６に詳細に示すように、本体側フレーム１５における中空の取手部１９の先端側の中央部には開口２８が貫通状態で形成されており、この開口２８には、操作部としての押しボタン２９がはめ込まれている。押しボタン２９には、取手部１９の内部において、かばんの幅方向に配置されたバー３０が一体に形成されている。すなわち、バー３０は、取手部１９の中央部に配置された押しボタン２９の位置から、一対の側部材２１、２１に対応した位置にそれぞれ達する長さで形成されている。
【００１９】
本体側フレーム１５の取手部１９における開口２８とは反対側の位置、すなわち本体１１に向かい合った位置には、第１のロック機構３１が設けられている。詳細には、第１のロック機構３１は、取手部１９と一体に形成されるなどしたケーシング３２を有する。一方、押しボタン２９およびバー３０と一体に突出片３３が形成されている。この突出片３３は、その先端部がケーシング３２に入り込んでいるとともに、その先端に傾斜面３４が形成されている。互いに一体化された押しボタン２９、バー３０、突出片３３は、中空の取手部１９の内部において、本体１１から遠ざかったり、本体１１に近づいたりする方向に移動自在とされている。
【００２０】
ケーシング３２の内部には、突出片３３の移動方向と直交する方向すなわちかばんの幅方向に移動自在な第１のスライダー３５が設けられている。またケーシング３２の内部には、突出片３３と同方向に移動自在な第２のスライダー３６が設けられている。第２のスライダー３６の先端には、第２のスライダー３６の移動によってケーシング３２から突出可能かつケーシング３２に退入可能な出退ピン３７が一体に形成されている。第２のスライダー３６は、詳細な図示は省略するが中空のロ字形に形成されており、そのロ字形の内面には傾斜面３８が形成されている。
【００２１】
第１のスライダー３５の一端には、突出片３３の傾斜面３４に接する第１の傾斜面３９が形成されている。また第１のスライダー３５の他端には、第２のスライダー３６の傾斜面３８に接する第２の傾斜面４０が形成されている。ケーシング３２の内部には、第１の圧縮コイルばね４１が収容されている。第１の圧縮コイルばね４１は、出退ピン３７がケーシング３２から本体１１に近づく方向に突出するように、第２のスライダー３６に弾性力を付与可能である。第２のスライダー３６が第１の圧縮コイルばね４１から弾性力を受けると、その傾斜面３８が第１のスライダー３５の第２の傾斜面４０を押圧し、それによって第１のスライダー３５の第１の傾斜面３９が突出片３３の傾斜面３４を押圧する。その結果、第１の圧縮コイルばね４１から、押しボタン２９およびバー３０に、本体１１から離れる方向の弾性力が付与される。
【００２２】
本体側フレーム１５の側部材２１、２１の内部には、それぞれロッド４３、４３が配置されている。各ロッド４３は、その長さ方向が側部材２１の長さ方向に沿うように配置され、支持部４４によってその長さ方向に移動自在に支持されている。ロッド４３の一端部４５はバー３０に接しており、ロッド４３の他端には第３のスライダー４６が設けられている。第３のスライダー４６は、本体側フレーム１５の側部材２１の内部に設けられた支持部材４７によってスライド自在に支持されている。第３のスライダー４６の周囲には、第２の圧縮コイルばね４８が配置されている。この第２の圧縮コイルばね４８は、第３のスライダー４６と一体に設けられたフランジ４９と支持部材４７との間に設けられることで、ロッド４３および第３のスライダー４６に、取手部１９に向かう方向の弾性力を付与することが可能である。
【００２３】
支持部材４７の内部には、ロッド４３および第３のスライダー４６の移動方向と直交する方向すなわちかばんの幅方向に移動自在な第４のスライダー５０が設けられている。第４のスライダー５０の先端には、第４のスライダー５０の移動によって支持部材４７から本体側フレーム１５の内側に向けて突出可能かつ支持部材４７に退入可能な出退ピン５１が一体に形成されている。第４のスライダー５０は、詳細な図示は省略するが第２のスライダー３６と同様に中空のロ字形に形成されており、その内面には傾斜面５２が形成されている。第３のスライダー４６の先端には、第４のスライダー５０の傾斜面５２に接する傾斜面５３が形成されている。支持部材４７の内部には第３の圧縮コイルばね５４が収容されている。第３の圧縮コイルばね５４は、出退ピン５１がロ字形の本体側フレーム１５の内側に向けて突出するように第４のスライダー５０に弾性力を付与可能である。第４のスライダー５０が第３の圧縮コイルばね５４から弾性力を受けると、その傾斜面５２が第３のスライダー４６の傾斜面５３を押圧し、それによって第３の圧縮コイルばね５４から、第３のスライダー４６およびロッド４３に、取手部１９に向かう方向の弾性力を付与することが可能である。
【００２４】
結局、第１〜第３の圧縮コイルばね４１、４８、５４は、押しボタン２９に対し、かばんの本体１１から離れる方向に弾性力を付与することが可能なように構成されている。この第１〜第３の圧縮コイルばね４１、４８、５４の作用によって、押しボタン２９は、その先端が取手部１９の開口２８から外方へ突出した状態となるように弾性力が付与される。
【００２５】
フレーム１４の蓋側フレーム１６が本体側フレーム１５に接近する方向に揺動して、この蓋側フレーム１６が本体側フレーム１５に対して閉じた状態となったときには、蓋側フレーム１６の先端部材２４の壁部５６が取手部１９のケーシング３２に向かい合って位置するとともに、蓋側フレーム１６の連結部材２５の壁部５７が支持部材４７に向かい合って位置する。そして先端部材２４の壁部５６には、ケーシング３２から突出している出退ピン３７がそのときに入り込むことができる孔部５８が貫通状態で形成されている。同様に、蓋側フレーム１６の連結部材２５の壁部５７には、支持部材４７から突出している出退ピン５１がそのときに入り込むことができる孔部５９が貫通状態で形成されている。以上によって、第２のロック機構６４と第３のロック機構６５とが構成されている。
【００２６】
つまり、図５および図６は、蓋側フレーム１６が本体側フレーム１５に対してロックされた状態、すなわち開閉蓋１３が本体１１に対してロックされた状態を示している。このとき、蓋側フレーム１６すなわち開閉蓋１３は、互いに距離をおいた３箇所の位置に設けられた出退ピン３７、５１、５１と孔部５８、５９、５９とによって、互いに距離をおいた複数箇所すなわち３箇所でロックされているため、確実なロック状態を達成することができる。なお、上記において説明したものと同様の構成を採用することで、ロックの箇所を４箇所以上とすることも可能である。あるいは、必要かつ十分な場合は、ロックの箇所を２箇所とすることも可能である。
【００２７】
この状態からロックを解除させるときは、手指を押しボタン２９に接触させたうえで、第１〜第３の圧縮コイルばね４１、４８、５４の弾性力に抗して、押しボタン２９を取手部１９の内部に入り込む方向に押圧する。すると、突出片３３の傾斜面３４が第１のスライダー３５の第１の傾斜面３９を押圧し、それに連動して第１のスライダー３５の第２の傾斜面４０が第２のスライダー３６の傾斜面３８を押圧する。その結果、出退ピン３７が孔部５８から抜け出してケーシング３２の内部に退入する。かつ、これと同時にバー３０がロッド４３を本体側フレーム１５の基端側部材２２に向かう方向に押圧し、それによって第３のスライダー４６の傾斜面５３が第４のスライダー５０の傾斜面５２を押圧する。その結果、出退ピン５１が孔部５９から抜け出して支持部材４７の内部に退入する。
【００２８】
図７および図８は、このときの状態を示す。これによって本体側フレーム１５に対する蓋側フレーム１６のロック状態、すなわち本体１１に対する開閉蓋１３のロック状態が解除される。そこで、ヒンジ１７のまわりの揺動により開閉蓋１３を開くことができる。つまり、手指によって第１〜第３の圧縮コイルばね４１、４８、５４の弾性力に抗して押しボタン２９押し込むだけで、容易にロック状態を解除することができ、開閉蓋１３を開くことができる。開閉蓋１３にばねなどによって開動力を付与させておけば、ロック状態を解除するだけで、人手により開閉蓋１３を開かなくても、開閉蓋１３を自動的に開動させることが可能である。
【００２９】
開いた状態の開閉蓋１３を閉じるときには、図９に示す開いた状態の蓋側フレーム１６がヒンジ１７のまわりの揺動により本体側フレーム１５に接近する。図９に示すように、出退ピン５１の先端には、本体側フレーム１５に接近してくる蓋側フレーム１６の方を向いた傾斜面６０が形成されている。たとえば図６において詳細に示すように、出退ピン３７の先端にも同様の傾斜面６１が形成されている。そして、図９に示すように蓋側フレーム１６の連結部材２５が本体側フレーム１５の側部材２１に接近してくると、チャンネル材にて形成された連結部材２５の縁端部６２が出退ピン５１の傾斜面６０に接触し、それによって第３の圧縮コイルばね５４の弾性力に抗して出退ピン５１を支持部材４７の内部に入り込ませる。これによって、出退ピン５１が連結部材２５の移動経路から退避するため、図１０に示すように、蓋側フレーム１６においてチャンネル材にて構成された連結部材２５が、本体側フレーム１５においてチャンネル材にて構成された側部材２１に被さることが可能となる。すると、連結部材２５の孔部５９が出退ピン５１に向かい合って、出退ピン５１が第３の圧縮コイルばね５４の弾性力によって孔部５９に入り込む。同様に、図３に示されるように蓋側フレーム１５においてアングル材で形成された先端部材２４の縁端部６３が、取手部１９において図６に示すように出退ピン３７の先端に形成された傾斜面６１に作用して、同様に出退ピン３７がいったん退避した後に孔部５８に入り込む。
【００３０】
これによって再び蓋側フレーム１６が本体側フレーム１５に対してロックされる。すなわち、開閉蓋１３が本体１１に対してロックされる。このように、開閉蓋１３を本体１１に接近させるだけで、それ以外の操作を必要とせずに、開閉蓋１３を閉じて自動的にロックすることができる。
【００３１】
なお、各図においては、説明の便宜のために、本体側フレーム１５の側部材２１の内部におけるロッド４３や支持部４４や第２および第３のロック機構６４、６５が露出した状態を描いた。しかし、これらの部材とかばんの内部に収容した品物とが干渉しないように、図示は省略するが実際にはこれらの部材は適当なカバーにて覆われている。
【００３２】
上記においては、押しボタン２９と出退ピン３７、５１、５１との連動機構の一例を詳しく説明した。しかし、この連動機構は、上記した例に限定されるものでなく、同様の動作を行う他の機構を任意に採用することも可能である。
【００３３】
上記においては、本体側フレーム１５が本体１１に取り付けられ、かつ蓋側フレーム１６が開閉蓋１３に取り付けられたものについて説明した。しかし、これとは反対に、本体側フレーム１５に相当する機構が開閉蓋１３に取り付けられるとともに、蓋側フレーム１６に相当する機構が本体１１に取り付けられた構成を採用することもできる。つまり、出退ピン３７、５１、５１が開閉蓋１３に配置されるとともに、孔部５８、５９、５９が本体１１に配置された構成を採用することもできる。その場合は、開閉蓋１３に取手部１９が設けられるため、たとえば、かばんすなわち本体１１を寝かせた状態で、ロックの解除と開閉蓋１３の開動とを片手だけで行うことができる。
【００３４】
本体１１と開閉蓋１３との形態も任意である。すなわち、上記においては本体１１の表面の一部に開口１２が形成されて開閉蓋１３が設けられたものについて図示し説明したが、開口１２及び開閉蓋１３が本体の表面の全面に形成されたものであってもよい。また上記においては、かばんの短辺側にヒンジ１７を有して開閉蓋１３が開閉する機構について図示し説明したが、かばんの長辺側にヒンジ１７が設けられた、いわゆる一般的なスーツケースの形態であってもよい。
【００３５】
本体１１と開閉蓋１３との一方における部材の縁の部分に溝部を設けるとともに、他方における部材の縁の部分が上記の溝部にはまり込む構成としてもよい。こうすると、本体１１と開閉蓋１３との縁の部分において、部材の肉厚の方向にずれない強固な連結構造を達成することができる。
【００３６】
図示の例では押しボタン２９は図５や図６に示されるロック状態においてその先端が開口２８から突出した形態であったが、誤ってその先端に触れるなどして予期しないときにロックが解除するなどの誤動作を起こすことがないように、押しボタン２９の先端を取手部１９と面一にするか、あるいは取手部１９の表面からその内部にわずかに入り込んだ形態とすることもできる。さらに、押しボタン２９の先端が取手部１９の表面よりも内部に入り込んだ形態としたうえで、開口２８を閉じることができるたとえばスライド式のカバーを設けて、押しボタン２９に誤って触れることを確実に回避可能な構成とすることもできる。
【００３７】
かばんは、図示した箱形のもののほかに、任意の形態とすることができる。たとえばリュックサックやその他の形態とすることも可能である。
【符号の説明】
【００３８】
１１    本体
１３    開閉蓋
１５    本体側フレーム
１６    蓋側フレーム
２９    押しボタン（操作部）
３０    バー
３１    第１のロック機構
３７    出退ピン
４１    第１の圧縮コイルばね
４３    ロッド
５１    出退ピン
５４    第３の圧縮コイルばね
５８    孔部
５９    孔部
６０    傾斜面
６１    傾斜面
６２    縁端部
６３    縁端部
６４    第２のロック機構
６５    第３のロック機構
【図１】
2013198596.tif 000003
【図２】
2013198596.tif 000004
【図３】
2013198596.tif 000005
【図４】
2013198596.tif 000006
【図５】
2013198596.tif 000007
【図６】
2013198596.tif 000008
【図７】
2013198596.tif 000009
【図８】
2013198596.tif 000010
【図９】
2013198596.tif 000011
【図１０】
2013198596.tif 000012